(57)【要約】【課題】  遊技動作を制御する制御基板を収容した基板ケースの不正な奪取等を不可能又は極めて困難にして、かかる不正行為を確実に防止する遊技機を提供する。【解決手段】  スロットマシン（１）の天板（３８）を開閉可能に形成し、筐体（３）の背面板（３９）に、メイン制御基板（３０）を収容する基板ケース（３０Ａ）を上方からスライド装着する基板ケース装着部（３１ａ、３１ｂ）を固設する。開放した筐体上部を介してのみ基板ケースの着脱を許可することで、遊技機が遊技島に設置された状態では、基板ケースの奪取が極めて困難となる。【選択図】  図６
2007082703.tif 000002
【特許請求の範囲】
【請求項１】
遊技者に面する前面側の開口部に対して前扉を開閉可能に取り付けた矩形箱状の筐体内に、遊技動作を制御する制御基板を基板ケースに収容して設けた遊技機であって、
前記筐体の天部を開閉可能に形成し、前記前扉に対向する当該筐体の背面板内壁に、前記制御基板を収容する基板ケースの両側部を係止してその前方への脱着を規制する一対の基板ケース装着手段を少なくとも備え、
開放した前記天部を通して前記基板ケース装着手段に対し前記基板ケースを着脱可能に装着し得るように構成したことを特徴とする遊技機。
【請求項２】
前記筐体の天部は、上方に開放可能な天板部材が前記筐体の上縁部に蝶番機構を介して取り付けられることにより、開閉可能な構成としたことを特徴とする請求項１に記載の遊技機。
【請求項３】
前記筐体の天部は、当該筐体の側面板において前後方向にスライド移動可能に天板部材を取り付けて開閉可能とし、更に前記前扉を当該筐体側に閉じたときには前記天板部材の移動を規制して当該天部の開放を許さない構成としたことを特徴とする請求項１に記載の遊技機。
【発明の詳細な説明】
【技術分野】
【０００１】
本発明は、スロットマシンやパチンコ機等の遊技機に関し、詳しくは、遊技動作を制御する制御基板の不正なすり替えや改造等を防止するための対策が講じられた遊技機に関する。
【背景技術】
【０００２】
近年の遊技機は、一般にマイクロコンピュータを搭載する制御基板によってゲームの動作が制御されている。例えばパチンコホール等に設置されるスロットマシンには、図柄を変動させてゲームの結果を表示するリール装置や、入賞時等にメダルを払い出すホッパ装置等が設けられているが、これらはメイン制御基板と呼ばれる制御基板によりゲームの進行に併せて動作制御がされている。また、スロットマシン等の遊技機には、サウンドの出力や液晶表示ユニットによる映像表示等のゲームの演出を制御するサブ制御基板や、各種機器ユニット等へ所要の電力を供給する制御を行う電源制御基板等、それぞれの担当に応じた制御基板が複数設けられている。
【０００３】
従来、これら遊技機に設けられる制御基板は、リール等の機械的な動作制御のみならず、入賞に関わる確率変動やメダルの払い出しなどゲームの出玉に関する制御も行っていため、不正なすり替えや改造の対象として狙われやすく、かかる不正行為を防止する対策が講じられている。
【０００４】
例えば、外部から改造等の有無を目視できるように透明な基板ケースに制御基板を収容し、「カシメ」と呼ばれる破壊しなければ開放できない係合ロック機構により基板ケースを閉塞して、その開放の痕跡を残すようにしている。また、基板ケースを同様の係合ロック機構を介して遊技機の筐体内に取り付けることで、基板ケースごと奪取してすり替えるような不正行為を困難にしている（例えば特許文献１参照）。
【０００５】
【特許文献１】特開２００４−２０９２３８号公報
【発明の開示】
【発明が解決しようとする課題】
【０００６】
しかし、上述した従来の遊技機においては、基板ケースの不正な開放及び取り外しの事実を、係合ロック機構の破壊痕跡により発見可能ではあるものの、遊技機の前扉を開放し係合ロック機構の破壊に成功すれば、基板ケースが奪取（不当な取り外し）されることもあり得るため、不正対策は万全なものとは言い難かった。
【０００７】
本発明は、こうした従来の問題に鑑みてなされたものであり、ホールに設置された遊技機において、遊技動作を制御する制御基板を収容した基板ケースの不正な奪取等を不可能又は極めて困難にして、かかる不正行為を確実に防止し、安全性を向上させることを目的としている。
【課題を解決するための手段】
【０００８】
上述した課題を解決するため、請求項１に記載の発明は、遊技者に面する前面側の開口部に対して前扉を開閉可能に取り付けた矩形箱状の筐体内に、遊技動作を制御する制御基板を基板ケースに収容して設けた遊技機であって、前記筐体の天部を開閉可能に形成し、前記前扉に対向する当該筐体の背面板内壁に、前記制御基板を収容する基板ケースの両側部を係止してその前方への脱着を規制する一対の基板ケース装着手段を少なくとも備え、開放した前記天部を通して前記基板ケース装着手段に対し前記基板ケースを着脱可能に装着し得るように構成したことを特徴とする。
【０００９】
請求項１に記載の遊技機によれば、前扉を開放しただけでは、制御基板を収容する基板ケースを基板ケース装着手段から着脱することができず、開放した筐体の天部を通してのみ着脱を可能としたので、制御基板を基板ケースごと奪取するような不正行為の完遂を困難にする。
【００１０】
請求項２に記載の発明は、請求項１に記載の遊技機であって、前記筐体の天部は、上方に開放可能な天板部材が前記筐体の上縁部に蝶番機構を介して取り付けられることにより、開閉可能な構成としたことを特徴とする。
【００１１】
請求項２に記載の遊技機によれば、例えば遊技機が遊技島に設置され、その上部に設けられる島構造物によって筐体上部が塞がれた状態では、天板部材を開放することができないので基板ケースを着脱することは不可能となる。これにより、制御基板を基板ケースごと奪取等することは極めて困難となり、かかる不正行為を確実に防止する。
【００１２】
請求項３に記載の発明は、請求項１に記載の遊技機であって、前記筐体の天部は、当該筐体の側面板において前後方向にスライド移動可能に天板部材を取り付けて開閉可能とし、更に前記前扉を当該筐体側に閉じたときには前記天板部材の移動を規制して当該天部の開放を許さない構成としたことを特徴とする。
【００１３】
請求項３に記載の遊技機によれば、例えば遊技機が遊技島に設置され、その上部に設けられる島構造物によって筐体上部が塞がれた状態では、筐体の天部を介しては基板ケースを着脱することができない。また、筐体側に閉じられた前扉が天板部材の移動を規制し天部の開放を許さないので、例えば遊技機を遊技島から引き出しただけでは、前扉を開放しない限り基板ケースを着脱することができない。したがって、制御基板を基板ケースごと奪取等することは極めて困難となり、かかる不正行為を確実に防止する。
【発明の効果】
【００１４】
本発明の遊技機によれば、筐体の天部を開閉可能に構成し、制御基板を収容する基板ケースを開放した天部を通してのみ着脱可能とした。例えば遊技機が遊技島に設置された状態等においては、筐体上部の島構造物に阻まれて基板ケースを着脱することができず、これにより、遊技機から基板ケースを奪取する等の不正行為の完遂を極めて困難にして、かかる不正行為を確実に防止することができる。
【発明を実施するための最良の形態】
【００１５】
以下、本発明に係る遊技機の好適な実施形態についてスロットマシンを例に説明する。ここで、図１は代表的なスロットマシン１の正面図、図２は図１に示すスロットマシン１の前扉２を開いた状態での内部構造を表した図である。
【００１６】
まず、図１を参照して、スロットマシン１のフロントマスク構造を説明する。遊技者側に面するフロントマスクは、略矩形状の箱体からなる筐体（３）の開口部を塞ぐようにして開閉可能に取り付けられた前扉２の前面において、いわゆる化粧板として硬質プラスチックにより一体的に形成されている。フロントマスクは、上パネル部と下パネル部に概ね分けられ、更に下パネル部の下方には、メダルを貯留するための受皿部が形成された受皿ユニット４が設けられている。
【００１７】
上パネル部には、高輝度の発光ダイオードを内蔵した上部ランプ５及びサイドランプ６ａ、６ｂが配置され、リーチや大当たり等の際に点灯または点滅して遊技者の視覚に訴える演出を行っている。また、上パネル部には、スピーカを内蔵した左右の演出用放音部７ａ、７ｂが設けられ、ゲームの進行に応じて選択される効果音や楽音等による演出を行っている。更に、演出用放音部７ａ、７ｂの間には、液晶表示ユニット８が配置されている。液晶表示ユニット８は、ゲームの進行に応じて選択された動画像を表示して、当該ゲームにストーリー性を与えたり、また、遊技者に内部当選結果を暗示して期待感を惹起させたりする等の演出を行っている。
【００１８】
上パネル部の中央には、略長方形の透明な表示窓９ａが形成された中パネルユニット９が取り付けられている。そして、筐体内に設けられている３個の円筒状のリール３２ａ、３２ｂ、３２ｃが表示窓９ａを通して遊技者に目視されるように構成されている。
【００１９】
すなわち、筐体内には、各外周面に複数の異なる種類を含む例えば２１個の識別図柄がほぼ等間隔に描かれた回転制御可能なリール３２ａ、３２ｂ、３２ｃが軸方向に一致して並設され、それぞれのリールの回転停止位置によって、表示窓９ａ側に臨む縦３個、横３列の識別図柄が変動表示されるように構成されている。
【００２０】
前扉２の中段には、ゲームに使用するメダルを投入するための投入口を有するメダル投入部１１と、ゲームの操作を指示するためのベットボタン１２、スタートレバー１３、及び３個のストップボタン１４ａ、１４ｂ、１４ｃがそれぞれ所定位置に配設されている。
【００２１】
ベットボタン１２は、スロットマシン１の当該ゲームに賭けるメダルの枚数を提示するための押圧式の操作スイッチである。スタートレバー１３は、リール３２ａ、３２ｂ、３２ｃを一斉に回転させる指示をするためのレバースイッチであり、先端に球形の操作ノブを有するレバーを上下左右の何れかの方向に傾倒操作するとオン作動し、レバーから手が離されるとスプリングの付勢力によって自動的に元の位置に戻ってオフするように構成されている。
【００２２】
ストップボタン１４ａ、１４ｂ、１４ｃは、各リール３２ａ、３２ｂ、３２ｃの回転停止を個別に指示するための押圧式スイッチであり、各リールの配列に対応してそれぞれ並設されている。
【００２３】
前扉２に形成された下パネル部には、スロットマシン１のモデルタイプ等を遊技者へ認識させるため、例えば登場キャラクターの絵などを表示するパネル１５が設けられている。
【００２４】
受皿ユニット４には、入賞時等においてメダルを排出するメダル払出口１６と、スピーカを内蔵しゲームの進行に応じて演出効果音を発生させる演出用放音部１７がそれぞれ配設されている。
【００２５】
次に、図２を参照して、スロットマシン１の内部構造を説明する。まず、筐体３側の上部位置には、スロットマシン１の全体動作を統括して制御するメイン制御基板３０を基板ケースに収容するメイン制御基板アセンブリ３０Ａが、背面板３６内壁に固設した左右一対の基板ケース装着部３１ａ、３１ｂにその両側部が保持されて設けられている。なお、メイン制御基板３０は、ＣＰＵ、ＲＯＭ、ＲＡＭ、その他周辺機器と通信する際の整合機能を有するインタフェース回路等の電子部品を実装したマイコンをベースに形成されている。本発明の特徴的な構成部分である、メイン制御基板アセンブリ３０Ａの取り付け構造については後述する。
【００２６】
筐体３内のほぼ中央には、円筒状で周面に複数種類の識別図柄が描かれたリール３２ａ、３２ｂ、３２ｃを回転可能に並設してユニット化したリールユニット３２が、前扉２側に形成される表示窓９ａに対向して設置されている。なお、各リール３２ａ、３２ｂ、３２ｃは、それぞれに内蔵するステッピングモータによって回転駆動制御される。
【００２７】
リールユニット３２の下方には、メダル投入部１１から投入されたメダルを貯留し入賞配当の際にメダル払出口３３ａからメダルを払い出すホッパーユニット３３と、ホッパーユニット３３から溢れたメダルを収容するためのオーバーフロータンク３４と、スロットマシン１に内蔵される各機器へ所要の電力を配電する電源ユニット３５とが設置されている。
【００２８】
次に、前扉２側には、その上部の位置に上述の演出用放音部７ａ、７ｂに対向するスピーカ２１ａ、２１ｂが取り付けられている。また、スピーカ２１ａ、２１ｂの間に配置されている液晶表示ユニット８（図１参照）の裏面に、当該液晶表示ユニット、スピーカ２１ａ、２１ｂ等を制御駆動するサブ制御基板２２をケース内に収容するサブ制御基板アセンブリ２２Ａが取り付けられている。なお、サブ制御基板２２は、液晶表示ユニット８による演出映像の表示制御、上部ランプ５及びサイドランプ６ａ、６ｂ等を使った照明制御、及び演出用放音部７ａ、７ｂ、１７を使った演出効果音制御など、ゲームの演出に係る制御を主に行うための制御回路基板である。
【００２９】
サブ制御基板アセンブリ２２Ａの下方には、リール３２ａ、３２ｂ、３２ｃを透視させるための透明な表示窓９ａが形成された中パネルユニット９が取り付けられている。すなわち、中パネルユニット９は、表示窓９ａに相当する開口部が中央に形成された枠体に、リール３２ａ、３２ｂ、３２ｃの外周面を照射する冷陰極蛍光管２３と、スタートレバー１３及びストップボタン１４ａ、１４ｂ、１４ｃ等の操作スイッチ類の信号を筐体３側のメイン制御基板３０へ中継する中央表示基板２４等を組み付けてユニット化した装置である。
【００３０】
中パネルユニット９の下方には、メダルセレクタ２５が取り付けられている。メダルセレクタ２５は、前面のメダル投入部１１に投入されたメダルの適否を判別し振り分ける装置である。投入されたメダルがメダルセレクタ２５により適正と判定されると、メイン制御基板３０へメダル受付信号を送信する。メイン制御基板３０は、メダル受付信号を受信する毎にクレジットを加算することで内部的にメダルを貯留する。
【００３１】
メダルセレクタ２５の下方には、当該メダルセレクタによって選別され検出された適正メダルを筐体３側のホッパーユニット３３へ案内するメダルガイド部２６と、メダルセレクタ２５により不適として排除され落下したメダル（または異物）を前面のメダル払出口１６へ案内するフローシュート２７と、ホッパーユニット３３のメダル排出口３３ａに当接し払い出されたメダルを前面のメダル払出口１６へ案内するメダル払出通路２８が設けられている。更に、メダル払出口１６に隣接して、上述した演出用放音部１７に対向するスピーカ２９が取り付けられている。
【００３２】
かかる構成のスロットマシン１は、先のゲームにおいて入賞しメダルの払い出しが完了した時、または先のゲームにおいてハズレが確定すると待機状態となる。この状態において、何れかのベットボタン１２が押圧操作されると、内部に貯留したメダル（クレジット）から当該ゲームにメダルが賭けられゲームが開始する。
【００３３】
メイン制御基板３０は、ゲーム開始の状態でスタートレバー１３の作動を検知すると、リール３２ａ、３２ｂ、３２ｃを一斉に回転させ始める。同時に入賞役を内部的な処理で抽選し、その結果をフラグ（メモリ）に記憶する。
【００３４】
次に、遊技者がストップボタン１４ａ、１４ｂ、１４ｃを任意の順番で押圧操作すると、メイン制御基板３０はそれに従い順次、対応するリールを停止させる。そして、メイン制御基板３０は全てのリール３２ａ、３２ｂ、３２ｃが停止したことを検知すると、各リールに表示された識別図柄の組合せが上述のフラグに記憶された入賞役に係る図柄の組合せと一致しているか否か判定する。これらが一致したときには当該入賞が確定し、その入賞役の種類に応じた配当数のメダルをクレジットに加算する。入賞の配当によりクレジットが上限を超える場合には、ホッパーユニット３３を作動して、超過分のメダルをメダル払出口１６より受皿ユニット４へ払い出している。
【００３５】
このように、スロットマシン１の遊技者は、リール３２ａ、３２ｂ、３２ｃを回転・停止させる遊技操作を行って、表示窓９ａに変動表示した識別図柄が有効ラインに揃わなければ賭けたメダルを失うが、予め定められた組合せで図柄が揃い入賞が成立すると賭けた枚数以上のメダルを獲得し得るので、技量と運とに任せてメダルを増やすという興趣を伴った勝敗ゲームを楽しむことができる。
【００３６】
次に、上述したスロットマシン１の全体動作を集中制御するメイン制御基板３０を基板ケース内に収容して組み立てられるメイン制御基板アセンブリ３０Ａの構造を説明する。ここで、図３はメイン制御基板アセンブリ３０Ａの外観構造を表した斜視図、図４はメイン制御基板アセンブリ３０Ａの構成を表した分解斜視図である。
【００３７】
これらの図に示されるように、メイン制御基板アセンブリ３０Ａは、メイン制御基板３０と、メイン制御基板３０を相対向して収容するケース基体３１０及びケース蓋体３２０からなる基板ケースと、ケース基体３１０を保持する左右一対のホルダー３３０、３４０とを備え、これらが組み立てられて構成されている。また、ケース基体３１０とケース蓋体３２０とを係合ロック機構により分離・開放不能に閉塞する媒体として、中空円筒状の係合媒体３５０を使用する。なお、この係合媒体３５０は、ケース基体３１０をホルダー３４０に固定する際にも共通して用いられる。
【００３８】
ケース基体３１０は、前側が開放する略長方形の箱体として透明なプラスチックで一体形成され、その底板部に小ネジを介してメイン制御基板３０が固定される。ケース基体３１０の上側壁には、ケース蓋体３２０とヒンジ結合するためのヒンジ軸部３１１が所定の間隔をおいて３カ所に形成されている。また、ケース基体３１０の下側壁には、係止孔３１２ａを有し前方（ケース蓋体３２０側）に延びる上下に弾性変形可能な係止アーム３１２が２カ所に形成されている。また、係合媒体３５０が挿入されることで、対向するケース蓋体３２０と開放不能に係合する一方の係合ロック機構を構成する、円筒容器状の筒状係合部３１３が４カ所に形成されている。
【００３９】
ケース蓋体３２０は、ケース基体３１０に対向するように後側が開放し当該ケース基体とほぼ同寸法の箱体として、透明なプラスチックにより一体形成される。ケース蓋体３２０の上側壁には、上述したケース基体３１０のヒンジ軸部３１１と嵌合するヒンジ軸受部３２１が３カ所に形成されている。また、ケース蓋体３２０の下側壁には、ケース基体３１０の上述した筒状係合部３１３と開口部同士が対向して他方の係合ロック機構を構成する、円筒容器状の筒状係合部３２３が４カ所にそれぞれ形成されている。また、ケース蓋体３２０の下側端には、ケース基体３１０側の２本の係止アーム３１２と係止する係止突起３２２がそれぞれ位置整合して形成されている。
【００４０】
また、ケース基体３１０を閉塞した状態で背後のホルダー３４０と離脱不能に係合する筒状係合部３２４がケース蓋体３２０の右側壁の４カ所に形成され、これら筒状係合部３２４を囲んで矩形状枠部３２５が右側に延びて形成されている。また、ケース蓋体３２０の左側壁には、同じくケース基体３１０を閉塞した状態で左側背後のホルダー３３０と係合する係合突起３２６が２カ所に形成されている。
【００４１】
左側に位置するホルダー３３０は、ケース基体３１０の背面に対向して当接する平板部３３１と、外縁部に立設する壁状部３３２とを有して、硬質プラスチックによって一体的に形成されている。また、壁状部３３２の内側壁には、ケース蓋体３２０の係合突起３２６を係合して留める係合凹部３３３が上下２カ所に形成されている。
【００４２】
右側に位置するホルダー３４０は、平板部３４１と、右側の外縁部に立設する支持台部３４２と、支持台部３４２から基板ケース側に突起する突起部３４３とを主に有して硬質プラスチックによって一体的に形成されている。また、平板部３４１には、ケース蓋体３２０側の筒状係合部３２４と開口部同士が対向して係合ロック機構を構成する筒状係合部３４４が４カ所に形成され、更に平板部３４１の上下の縁部に、ケース蓋体３２０側へ延びる一対の係止アーム３４５が形成されている。
【００４３】
かかる構成のメイン制御基板アセンブリ３０Ａは次のようにして組み立てられる。すなわち、ケース基体３１０とケース蓋体３２０とは、それぞれのヒンジ軸部３１１とヒンジ軸受部３２１とが嵌め合わされ、互いに開閉揺動が可能に取り付けられる。そして、メイン制御基板３０をケース基体３１０の底板部にネジ留めしケース蓋体３２０を閉じて収容する。
【００４４】
ケース基体３１０にケース蓋体３２０を閉じただけでは係止アーム３１２がその弾性変形力により係止突起３２２に係止しているだけであり、容易に開放できる状態にある。そこで、ケース蓋体３２０を閉じる際に、ケース基体３１０とケース蓋体３２０に形成される何れか一対の筒状係合部３１３、３２３に係合媒体３５０を挿入して係合させることで、これらケース部材同士を開放不能に接合する。係合媒体３５０は、その両端部がそれぞれの筒状係合部３１３、３２３の内部で係合するため、外部からこの係合状態を解除することができなくなる。但し、メイン制御基板の検査のときなどにおいては、ケース蓋体３２０側の筒状係合部３２３を当該ケース蓋体の本体から切り離すことにより、当該ケース蓋体を開放することができるようになっている。換言すると、係合状態にある筒状係合部３２３を本体から切り離した破壊痕跡が当該ケース蓋体３２０の開放の履歴として残され、これにより、例えば不正な開放があった事実を容易に発見できるように形成されている。
【００４５】
メイン制御基板３０を収容して閉じた基板ケースは、ケース基体３１０及びケース蓋体３２０の下側壁を跨いでフィルム状の封印シール３２７が貼り付けられて封印される。そして、ケース蓋体３２０の係合突起３２６をホルダー３３０の係合凹部３３３に係合して固定し、他方、矩形状枠部３２５の内側空間にホルダー３４０の突起部３４３を嵌め入れつつ係止アーム３４５の先端突起３４５ａを矩形状枠部３２５の端部に係止することで、基板ケースがホルダー３３０、３４０に安定して保持される。このとき、ホルダー３４０とケース蓋体３２０に形成される何れか一対の筒状係合部３４４、３２４に係合媒体３５０を挿入して係合させることで、基板ケースを開放不能に閉塞した状態でホルダー３４０に固定する。
【００４６】
このようにして、メイン制御基板アセンブリ３０Ａを組み立てることで、基板ケース（ケース基体３１０及びケース蓋体３２０）の開放を困難にするとともに、係合ロック機構の破壊の痕跡によって開放の履歴を管理し、且つ不正を迅速に発見できるようにしている。
【００４７】
次に、メイン制御基板アセンブリ３０Ａの筐体３への取り付け構造を説明する。メイン制御基板アセンブリ３０Ａが取り付けられる筐体３の背面板３６には、図２に示したように、左右一対の基板ケース装着部３１ａ、３１ｂが固設されている。ここで、図５は、メイン制御基板アセンブリ３０Ａを取り付けた部分の筐体３及び基板ケース装着部３１ａ、３１ｂの横断面図である。
【００４８】
図５を参照し、それぞれの基板ケース装着部３１ａ、３１ｂは、矩形状のメイン制御基板アセンブリ３０Ａの横幅分だけ互いに離間し、筐体３の背面板３６から当該メイン制御基板アセンブリの扁平な厚み分だけ前方（筐体３の開口側）に立設するとともに先端部分が互いに内方に折れる係止部を有して固設されている。各基板ケース装着部３１ａ、３１ｂの上方側は開口して形成され、当該開口した部分を介してのみ、メイン制御基板アセンブリ３０Ａを着脱可能とするとともに、その両側部を係止部で係止して、前方からの脱着（取り外し）ができないように構成している。
【００４９】
更には、基板ケース装着部３１ａ、３１ｂの係止部が、相対向するケース部材の外方側に位置するケース蓋体３２０の両側部分を係止するので、メイン制御基板アセンブリ３０Ａを基板ケース装着部３１ａ、３１ｂに装着した状態では、ケース蓋体３２０を強制的に開放して内部のメイン制御基板３０にアクセス等することも不可能となる。
【００５０】
なお、本実施形態では、各基板ケース装着部３１ａ、３１ｂの上端が筐体３の天板部分に当接して設けられているが（図２参照）、基板ケース装着部３１ａ、３１ｂの上端と天板部分との間隔を、最長でもメイン制御基板アセンブリ３０Ａの縦幅以下にして設けてもよい。
【００５１】
メイン制御基板アセンブリ３０Ａを筐体３に対して上方から着脱できるようにするために、本発明に係る遊技機においては、筐体３の天板部分が開閉可能に構成されている。
【００５２】
図６は、その第１の実施例による天板部分の構造を表した斜視図である。箱状の筐体３を構成する背面板３６と側面板３７ａ、３７ｂの上端内側には、基板ケース装着部３１ａ、３１ｂの上側位置において開口する矩形の開口部４０ａが形成された筐体補強用の内枠板４０が設けられ、更に、背面板３６の上部には、蝶番３９を介して天板３８が開閉可能に取り付けられている。これにより、天板３８を内枠板４０に閉じて密接させた状態では、開口部４０ａが覆われて筐体３が閉塞され、一方、天板３８を上方に開けた状態では、内枠板４０の開口部４０ａを通して、メイン制御基板アセンブリ３０Ａを基板ケース装着部３１ａ、３１ｂに対して着脱し得るように構成されている。
【００５３】
ホールにおいて、複数台のスロットマシンを配列して遊技島を構築するに際しては、通常、遊技スペースのフロアーに予め形設した例えば木製の架台及び全体を支える枠体に対し、スロットマシン１の筐体３が木ネジや釘等により固定（釘打ち）される。そして、スロットマシン１が遊技島に設置された状態においては、図７に示すように筐体上部が島構造物によって塞がれる。このため、天板３８の開放が規制され、メイン制御基板アセンブリ３０Ａの脱着を不可とする構成とすることができる。
【００５４】
本実施例のスロットマシン１によれば、前扉２を開放しても筐体３前方の開口部からはメイン制御基板アセンブリ３０Ａの着脱を不可能とし、天板３８を開放して上方からのみ当該メイン制御基板アセンブリを着脱し得るように構成した。これにより、スロットマシン１がホールの遊技島に設置され、筐体上部が島構造物によって塞がれた状態では、天板３８の開放が阻止されてメイン制御基板アセンブリ３０Ａを取り出すことができなくなる。メイン制御基板アセンブリ３０Ａを筐体３から着脱するには、遊技島よりスロットマシン１を引き出す作業が必要となるため、メイン制御基板アセンブリ３０Ａを不正に奪取等することは極めて困難となる。したがって、かかる不正行為を確実に防止することができる。
【００５５】
図８は、本発明の第２の実施例によるスロットマシン１の天板部分の構造を表した斜視図である。図８によれば、箱状の筐体３を構成する左右両側の側面板３７ａ、３７ｂの上端内側には、前後方向に直線状に案内溝３７１ａ、３９１ｂが形成され、そこに矩形平板状の天板４１の両側辺、若しくは両側辺に設けた凸部４１ａが嵌合して当該天板４１が摺接移動（スライド）可能に取り付けられている。これにより、筐体３の上部（天板部分）は、天板４１を前方の開口部側へ引き出すことで、基板ケース装着部３１ａ、３１ｂの上側部分が開放される。
【００５６】
更に、図８には表れていないが、筐体３に側に前扉２を閉じた状態では、天板４１は当該前扉によって阻まれて前方への移動が規制され、筐体３上部を開放することができない構造を有している。これにより、前扉２を閉じた状態でのメイン制御基板アセンブリ３０Ａの着脱を禁止している。
【００５７】
本実施例のスロットマシン１によれば、前扉２を筐体３から開け、更に天板４１をスライドして開放した筐体３の上方からのみメイン制御基板アセンブリ３０Ａを着脱するように構成したので、例えば、スロットマシン１がホールの遊技島に設置され、筐体上部が島構造物によって塞がれた状態では、メイン制御基板アセンブリ３０Ａを取り出すことができなくなる。メイン制御基板アセンブリ３０Ａを着脱するには、遊技島よりスロットマシン１を引き出し、更に前扉２を開放しなければならず、メイン制御基板アセンブリ３０Ａを筐体３から不正に奪取等することは極めて困難となる。したがって、かかる不正行為を確実に防止することができる。
【図面の簡単な説明】
【００５８】
【図１】本発明の遊技機の実施形態であるスロットマシンの前面構造を表した正面図である。
【図２】図１に示したスロットマシンの前扉を開いて内部構造を表した図である。
【図３】本発明の実施形態によるメイン制御基板アセンブリの外観構造を表した斜視図である。
【図４】図３に示したメイン制御基板アセンブリの構成を表した分解斜視図である。
【図５】図３に示したメイン制御基板アセンブリを筐体に取り付けた部分の横断面図である。
【図６】本発明の実施形態によるスロットマシンの天板部分の第１実施例を表した斜視図である。
【図７】本発明の実施形態によるスロットマシンの側面図であって、遊技島に設置された状態を表した図である。
【図８】本発明の実施形態によるスロットマシンの天板部分の第２実施例を表した斜視図である。
【符号の説明】
【００５９】
１…スロットマシン                      ２…前扉
３…筐体                                ４…受皿ユニット
５…上部ランプ                          ６ａ、６ｂ…サイドランプ
７ａ、７ｂ…演出用放音部                ８…液晶表示ユニット
９…中パネルユニット                    ９ａ…表示窓
１１…メダル投入部                      １２…ベットボタン
１３…スタートレバー                    １４ａ、１４ｂ、１４ｃ…ストップボタン
１５…パネル                            １６…メダル払出口
１７…演出用放音部                      ２１ａ、２１ｂ…スピーカ
２２…サブ制御基板                      ２２Ａ…サブ制御基板アセンブリ
２３…冷陰極蛍光管                      ２４…中央表示基板
２５…メダルセレクタ                    ２６…メダルガイド部
２７…フローシュート                    ２８…メダル払出通路
２９…スピーカ                          ３０…メイン制御基板
３０Ａ…メイン制御基板アセンブリ        ３１ａ、３１ｂ…基板ケース装着部
３２…リールユニット                    ３２ａ、３２ｂ、３２ｃ…リール
３３…ホッパーユニット                  ３３ａ…メダル排出口
３４…オーバーフロータンク              ３５…電源ユニット
３６…背面板                            ３７ａ、３７ｂ…側面板
３８…天板                              ３９…蝶番
４０…内枠板                            ４０ａ…開口部
４１…天板                              ４１ａ…凸部
３１０…ケース基体                      ３１１…ヒンジ軸部
３１２…係止アーム                      ３１２ａ…係止孔
３１３…筒状係合部                      ３２０…ケース蓋体
３２１…ヒンジ軸受部                    ３２２…係止突起
３２３、３２４…筒状係合部              ３２５…矩形状枠部
３２６…係合突起                        ３２７…封印シール
３３０…ホルダー                        ３３１…平板部
３３２…壁状部                          ３３３…係合凹部
３４０…ホルダー                        ３４１…平板部
３４２…支持台部                        ３４３…突起部
３４４…筒状係合部                      ３４５…係止アーム
３５０…係合媒体                        ３７１ａ、３７１ｂ…案内溝
【図１】
2007082703.tif 000003
【図２】
2007082703.tif 000004
【図３】
2007082703.tif 000005
【図４】
2007082703.tif 000006
【図５】
2007082703.tif 000007
【図６】
2007082703.tif 000008
【図７】
2007082703.tif 000009
【図８】
2007082703.tif 000010